(57)【要約】【課題】  本発明は、ワイヤハーネスを固定するための固定部材を両端部の異なった面にそれぞれ設けることにより、固定部材に方向性を持たせて、無理なくワイヤハーネスの配設方向を変えることができるワイヤハーネス収容保持装置を提供する。【解決手段】  ワイヤハーネスを収容保持した状態で、自動車等に配設可能とするワイヤハーネス収容保持装置であって、底面部１ａと両側面部１ｂ、１ｃからなる溝部材と、前記溝部材の溝方向端部に設けられた固定部材２と、前記固定部材２が設けられた前記溝方向端部とは反対側の前記溝部材の端部に設けられた他端固定部材３とを有し、前記固定部材２と前記他端固定部材３は、前記溝部材の異なる面にそれぞれ設けられていることを特徴とする。【選択図】  図３
2005218290.tif 000002
【特許請求の範囲】
【請求項１】
ワイヤハーネスを収容保持した状態で、自動車等に配設可能とするワイヤハーネス収容保持装置であって、
底面部と両側面部からなる溝部材と、
前記溝部材の溝方向端部に設けられた固定部材と、
前記固定部材が設けられた前記溝方向端部とは反対側の前記溝部材の端部に設けられた他端固定部材とを有し、
前記固定部材と前記他端固定部材は、前記溝部材の異なる面にそれぞれ設けられていることを特徴とするワイヤハーネス収容保持装置。
【請求項２】
前記固定部材と前記他端固定部材は、前記溝部材の各側面部にそれぞれ設けられていることを特徴とする請求項１に記載のワイヤハーネス収容保持装置。
【請求項３】
前記固定部材は、前記固定部材が設けられた前記底面部または前記側面部の外面方向へ屈曲して設けられていることを特徴とする請求項１または２に記載のワイヤハーネス収容保持装置。
【請求項４】
前記他端固定部材は、前記他端固定部材が設けられた前記底面部または前記側面部の外面方向へ屈曲して設けられていることを特徴とする請求項１乃至３のいずれかに記載のワイヤハーネス収容保持装置。
【請求項５】
ワイヤハーネスを収容保持した状態で、自動車等に配設可能とするワイヤハーネス収容保持装置であって、
底面部と両側面部からなる溝部材と、
前記溝部材の上方開口を塞ぐ蓋部材と、
前記蓋部材の溝方向端部に設けられた固定部材と、
前記固定部材が設けられた前記溝方向端部とは反対側の前記溝部材の端部に設けられた他端固定部材とを有することを特徴とするワイヤハーネス収容保持装置。
【請求項６】
前記他端固定部材は、前記溝部材の前記底面部に設けられていることを特徴とする請求項５に記載のワイヤハーネス収容保持装置。
【請求項７】
前記固定部材は、前記蓋部材の外面方向へ屈曲して設けられていることを特徴とする請求項５または６に記載のワイヤハーネス収容保持装置。
【請求項８】
前記他端固定部材は、前記他端固定部材が設けられた前記底面部または前記側面部の外面方向へ屈曲して設けられていることを特徴とする請求項５乃至７のいずれかに記載のワイヤハーネス収容保持装置。
【請求項９】
前記蓋部材は、前記溝部材の一方の側面部にヒンジ連結されていることを特徴とする請求項５乃至８のいずれかに記載のワイヤハーネス収容保持装置。
【発明の詳細な説明】
【技術分野】
【０００１】
本発明は、ワイヤハーネスを収容保持した状態で自動車等に配設し、ワイヤハーネスの位置決めや方向決め等に用いられるワイヤハーネス収容保持装置に関する。
【背景技術】
【０００２】
ワイヤハーネスを収容保持し自動車等に配設するためのワイヤハーネス収容保持装置は、ワイヤハーネスの収容保持状態を維持できるように、ワイヤハーネスをテープ等で巻付けて固定するための固定部材が端部に設けられている。従来、固定部材は、固定部材が設けられている面と同一平面上に延長するように設けられていた（特許文献１）。
【特許文献１】実開平５−３４３７８号公報
【発明の開示】
【発明が解決しようとする課題】
【０００３】
しかしながら、自動車等に配設されるワイヤハーネスは、自動車内の他の機器や部品等を回避しながら配設する必要性があり、常に直線状ではなく方向を変えて配設しなければならない場合がある。
特許文献１に記載のワイヤハーネス固定具は、ワイヤハーネスを直線状にしか配設することができないため、方向を変えて配設したい場合等には適用できず、配設の自由度がないものであった。
本発明は、このような問題点に鑑みなされたものであり、ワイヤハーネスを固定するための固定部材を両端部の異なった面にそれぞれ設けることにより、固定部材に方向性を持たせて、無理なくワイヤハーネスの配設方向を変えることができるワイヤハーネス収容保持装置を提供するものである。
【課題を解決するための手段】
【０００４】
本発明は、ワイヤハーネスを収容保持した状態で、自動車等に配設可能とするワイヤハーネス収容保持装置であって、底面部と両側面部からなる溝部材と、前記溝部材の溝方向端部に設けられた固定部材と、前記固定部材が設けられた前記溝方向端部とは反対側の前記溝部材の端部に設けられた他端固定部材とを有し、前記固定部材と前記他端固定部材は、前記溝部材の異なる面にそれぞれ設けられていることを特徴とする。
前記固定部材と前記他端固定部材は、前記溝部材の各側面部にそれぞれ設けられていることを特徴とする。
前記固定部材は、前記固定部材が設けられた前記底面部または前記側面部の外面方向へ屈曲して設けられていることを特徴とする。
前記他端固定部材は、前記他端固定部材が設けられた前記底面部または前記側面部の外面方向へ屈曲して設けられていることを特徴とする。
本発明は、ワイヤハーネスを収容保持した状態で、自動車等に配設可能とするワイヤハーネス収容保持装置であって、底面部と両側面部からなる溝部材と、前記溝部材の上方開口を塞ぐ蓋部材と、前記蓋部材の溝方向端部に設けられた固定部材と、前記固定部材が設けられた前記溝方向端部とは反対側の前記溝部材の端部に設けられた他端固定部材とを有することを特徴とする。
前記他端固定部材は、前記溝部材の前記底面部に設けられていることを特徴とする。
前記固定部材は、前記蓋部材の外面方向へ屈曲して設けられていることを特徴とする。
前記他端固定部材は、前記他端固定部材が設けられた前記底面部または前記側面部の外面方向へ屈曲して設けられていることを特徴とする。
前記蓋部材は、前記溝部材の一方の側面部にヒンジ連結されていることを特徴とする。
【発明の効果】
【０００５】
本発明によれば、ワイヤハーネスを固定するための固定部材を両端部の異なった面にそれぞれ設けることにより、固定部材に方向性を持たせて、無理なくワイヤハーネスの配設方向を変えることができるワイヤハーネス収容保持装置を提供することができる。
【発明を実施するための最良の形態】
【０００６】
次に、本発明の内容を詳細に説明するが、本発明はこれら実施の形態に何ら限定されるものではない。
【０００７】
（実施の形態１）
図１は本発明の実施の形態１にかかるワイヤハーネス収容保持装置の斜視図で、図２は図１のワイヤハーネス収容保持装置を上方から見た上面図である。ワイヤハーネス収容保持装置は、底面部１ａおよび側面部１ｂ、１ｃから構成される溝部材１と、側面部１ｂの溝方向端部に設けられた固定部材２と、側面部１ｃの溝方向端部に設けられた固定部材３から構成されている。固定部材２は、側面部１ｂの溝側の面とは反対側の外面方向へ屈曲して設けられている。固定部材３は、側面部１ｃの平面と同一平面上に延長した形で設けられている。
【０００８】
次に、ワイヤハーネスの収容保持方法について説明する。
図３は図１のワイヤハーネス収容保持装置にワイヤハーネスＷを収容保持している状態の斜視図で、図４は図３のワイヤハーネス収容保持装置を上面から見た上面図である。溝部材１に収容されたワイヤハーネスＷは、固定部材２、３にテープ等で巻き付けられて固定される。従って、ワイヤハーネスＷは、固定部材３側では溝方向に沿って直線的に配設されるが、固定部材２側では固定部材２の屈曲方向へ方向を変えて配設することが可能になる。
【０００９】
図５は、図４における固定部材２の代わりに固定部材４を設けて、図４と同じ方向へワイヤハーネスＷを屈曲して配設した比較例である。図４では、固定部材２、３を溝部材１の異なった面にそれぞれ設けているが、図５では、固定部材３、４を溝部材１の同じ面に設けているものである。すなわち、固定部材４を、固定部材３が設けられている側面部１ｃに設け、側面部１ｃの溝側の面の方向へ屈曲させている。図５においても、ワイヤハーネスＷは、固定部３および固定部４にテープ等で巻き付けられて固定されており、図４と同じ方向へワイヤハーネスＷを配設することができることになる。
【００１０】
しかしながら、図４と図５のワイヤハーネス収容保持装置では、効果上大きな差がある。まず、ワイヤハーネスＷを収容する溝部材の溝は、種々の太さのワイヤハーネスを収容できるようにするため、余裕をもたせて成形されている。図５の場合では、直線状に配設されているワイヤハーネスＷが、固定部材４の位置から固定部材４の角度に沿って急激に曲げられることになる。しかしながら、図４の場合では、溝部材の溝のスペースを利用して、ワイヤハーネスＷは固定部材３の位置から固定部材２の位置に向けてゆるやかに曲げられることになる。従って、図４は図５に比べて、曲げによるワイヤハーネスＷにかかる負担を軽減することができるという効果を奏する。
【００１１】
さらに、図５の場合では、側面部１ｂの角部Ｐの部分に、ワイヤハーネスＷの曲げによるストレスが集中してしまうことになるが、図４の場合では、一部にストレスが集中することはなく、ワイヤハーネス収容保持装置の耐久性を向上できるという効果も奏する。
【００１２】
このように、両端部に設けられる固定部材をそれぞれ異なった面に設けることにより、固定部材を外面方向へ屈曲させて、無理なくワイヤハーネスＷの方向を変えることができ、かつ、ワイヤハーネスＷおよびワイヤハーネス収容保持装置にかかる負担を軽減し、耐久性を向上することができるものである。
【００１３】
なお、図１乃至図４では、固定部材３は側面部１ｃの平面と同一平面上に設けられているが、固定部材３に方向性を持たせることも可能である。この場合は、図６の斜視図及び図７の上面図に示すように、固定部材３の変わりに、固定部材５を側面部１ｃの外面方向へ屈曲して設ければよい。この構成により、ワイヤハーネスＷを、溝部材１の両端において異なった方向へ配設することができ、勿論前記の負担軽減、耐久性向上という効果も有しているものである。
【００１４】
さらに、固定部材２、３を設ける場所については、種々の構成が考えられ、以下にその一例を示す。
図８は、固定部材３の位置を変更して、固定部材３の代わりに底面部１ａに固定部材６を設けた例である。
また、ワイヤハーネスＷを下方に向けて配設したい場合は、図９に示すように、底面部１ａに固定部材７を下方に向けて屈曲して設ければよい。
また、図１０に示すように、両側面部１ｃ、１ｂおよび底面部１ａにそれぞれ固定部材８、９、１０を設けるように構成することもできる。この場合、固定部材９、１０によりワイヤハーネスＷをより確実に固定することができ、固定部材８は側面部１ｃの外面方向へ屈曲させることができる。
【００１５】
（実施の形態２）
図１１乃至図１３に、本発明の実施の形態２にかかるワイヤハーネス収容保持装置を示す。
図１１はワイヤハーネス収容保持装置の斜視図で、底面部１１ａおよび両側面部１１ｂ、１１ｃから構成される溝部材１１と、溝部材１１の上方開口を塞ぐ蓋部材１４と、蓋部材１４の溝方向端部に設けられた固定部材１２と、底面部１１ａの溝方向端部に設けられた固定部材１３から構成されている。蓋部材１４は、側面部１１ｂにヒンジ部１５でヒンジ連結され、ヒンジ部１５を中心に回動させることにより、蓋部材１４を閉じることができる構成となっている。なお、蓋部材１４は溝部材１１とは別体で構成しても勿論かまわない。
【００１６】
図１２は、図１１のワイヤハーネス収容保持装置の蓋部材１４を閉じた状態で、溝方向に沿って切断した断面をＡ方向から見た断面図である。図１３は、図１２においてワイヤハーネスＷを収容した状態の断面図である。
固定部材１２は、蓋部材１４の溝側の面とは反対側の外面方向へ屈曲して設けられ、固定部材１３は、溝部材１１の底面部１１ａの平面と同一平面上に延長した形で設けられている。従って、図１３に示すように、ワイヤハーネスＷは、ゆるやかに曲げることができ、かつ曲げによるストレスも一部に集中しない構成となっている。よって、実施の形態２においても、両端部に設けられる固定部材をそれぞれ蓋部材１４と溝部材１１の異なった面に設けることにより、固定部材を外面方向へ屈曲させて、無理なくワイヤハーネスＷの方向を変えることができ、かつ、ワイヤハーネスＷおよびワイヤハーネス収容保持装置にかかる負担を軽減し、耐久性を向上することができるものである。
【００１７】
さらに、固定部材を蓋部材１４と溝部材１１にそれぞれ設けることにより、蓋部材１４がはずれにくくなるという効果も有する。すなわち、何らかの外的要因により、蓋部材１４が溝部材１１から結合がはずれた場合でも、蓋部材１４と溝部材１１はワイヤハーネスＷにより固定部材１２と固定部材１３で結合されているので、仮に開いたとしてもわずかの程度ですみ、ワイヤハーネスＷを保護することができるものである。
なお、図１１では、固定部材１３を底面部１１ａに設けているが、実施の形態１と同様に、側面部１１ｂまたは側面部１１ｃに設けてもよいし、また、固定部材１３を設けられている面の外面方向へ屈曲させて設けてもよい。
【図面の簡単な説明】
【００１８】
【図１】本発明の実施の形態１にかかるワイヤハーネス収容保持装置の斜視図。
【図２】図１のワイヤハーネス収容保持装置の上面図。
【図３】図１のワイヤハーネス収容保持装置にワイヤハーネスを収容保持した状態を示す斜視図。
【図４】図３のワイヤハーネス収容保持装置の上面図。
【図５】実施の形態１にかかるワイヤハーネス収容保持装置の比較例を示す図。
【図６】本発明の実施の形態１にかかるワイヤハーネス収容保持装置の変形例を示す斜視図。
【図７】図６のワイヤハーネス収容保持装置の上面図。
【図８】本発明の実施の形態１にかかるワイヤハーネス収容保持装置の変形例を示す斜視図。
【図９】本発明の実施の形態１にかかるワイヤハーネス収容保持装置の変形例を示す破断斜視図。
【図１０】本発明の実施の形態１にかかるワイヤハーネス収容保持装置の変形例を示す斜視図。
【図１１】本発明の実施の形態２にかかるワイヤハーネス収容保持装置の斜視図。
【図１２】図１１のワイヤハーネス収容保持装置の蓋部材を閉じた状態の断面図。
【図１３】図１１のワイヤハーネス収容保持装置にワイヤハーネスを収容保持した状態を示す断面図。
【符号の説明】
【００１９】
１      溝部材
１ａ    底面部
１ｂ    側面部
１ｃ    側面部
２      固定部材
３      固定部材
４      固定部材
５      固定部材
６      固定部材
７      固定部材
８      固定部材
９      固定部材
１０    固定部材
１１    溝部材
１１ａ  底面部
１１ｂ  側面部
１１ｃ  側面部
１２    固定部材
１３    固定部材
１４    蓋部材
１５    ヒンジ部
Ｗ      ワイヤハーネス
【図１】
2005218290.tif 000003
【図２】
2005218290.tif 000004
【図３】
2005218290.tif 000005
【図４】
2005218290.tif 000006
【図５】
2005218290.tif 000007
【図６】
2005218290.tif 000008
【図７】
2005218290.tif 000009
【図８】
2005218290.tif 000010
【図９】
2005218290.tif 000011
【図１０】
2005218290.tif 000012
【図１１】
2005218290.tif 000013
【図１２】
2005218290.tif 000014
【図１３】
2005218290.tif 000015